(57)【特許請求の範囲】
【請求項１】
予めカードに記憶された施解錠情報の正当性を判別し、正常に認証したときのみ錠前を施解錠するカード式電気錠を備えたカードロックシステムにおいて、
前記カード式電気錠との間で非接触通信可能とされ、最新プログラムや変更済イニシャルデータを含む更新用の電気錠データが保存されたスマートカードと、
データの更新やデータのバックアップを指示する処理実行情報が記憶されたトリガカードとを用い、
前記カード式電気錠は、プログラムやイニシャルデータを含む電気錠データを記憶する記憶手段を備え、前記トリガカードから読み込んだ処理実行情報をトリガとして、前記スマートカードからの更新用の電気錠データによる前記記憶手段の電気錠データの更新又は前記スマートカードへの前記記憶手段の電気錠データのバックアップを選択的に行うことを特徴とするカードロックシステム。
【請求項２】
予めカードに記憶された施解錠情報の正当性を判別し、正常に認証したときのみ錠前を施解錠するカード式電気錠を備えたカードロックシステムにおいて、
前記カード式電気錠との間で非接触通信可能とされ、最新プログラムや変更済イニシャルデータからなる更新用の電気錠データが保存されたスマートカードと、
データの更新を指示する更新実行情報が記憶されたデータ更新用カードとを用い、
前記カード式電気錠は、プログラムやイニシャルデータを含む電気錠データを記憶する記憶手段を備え、前記電気錠データの更新時に、前記データ更新用カードから取得した前記更新実行情報をトリガとして、前記スマートカードから更新用の電気錠データを読み出し、前記記憶手段に記憶された電気錠データを前記更新用の電気錠データによって更新することを特徴とするカードロックシステム。
【請求項３】
予めカードに記憶された施解錠情報の正当性を判別し、正常に認証したときのみ錠前を施解錠するカード式電気錠を備えたカードロックシステムにおいて、
前記カード式電気錠との間で非接触通信可能とされ、各種データを保存するためのスマートカードと、
データのバックアップを指示するバックアップ実行情報が記憶されたデータバックアップ用カードとを用い、
前記カード式電気錠は、プログラムやイニシャルデータを含む電気錠データを記憶する記憶手段を備え、前記電気錠データのバックアップ時に、前記データバックアップ用カードから取得した前記バックアップ実行情報をトリガとして、前記記憶手段に記憶された電気錠データを前記スマートカードに書き込んでバックアップすることを特徴とするカードロックシステム。
【請求項４】
予めカードに記憶された施解錠情報の正当性を判別し、正常に認証したときのみ錠前を施解錠するカード式電気錠を備えたカードロックシステムにおいて、
前記カード式電気錠との間で非接触通信可能とされ、少なくとも最新プログラムや変更済イニシャルデータを含む更新用の電気錠データが保存されたスマートカードと、
データの更新又はデータのバックアップを指示する更新／バックアップ実行情報が記憶されたデータ更新／バックアップ用カードとを用い、
前記カード式電気錠は、プログラムやイニシャルデータを含む電気錠データを記憶する記憶手段と、該記憶手段に記憶された前記電気錠データの更新又はバックアップの何れかを選択する操作手段とを備え、該操作手段によって前記電気錠データの更新が選択されたときに、前記スマートカードから読み出した更新用の電気錠データによって前記記憶手段に記憶された電気錠データを更新し、前記操作手段によって前記電気錠データのバックアップが選択されたときには、前記記憶手段に記憶された電気錠データを前記スマートカードに書き込んでバックアップすることを特徴とするカードロックシステム。
【請求項５】
前記カード式電気錠との間で非接触通信可能とされ、最新プログラムや変更済イニシャルデータからなる更新用の電気錠データが保存されたスマートカードを搭載したデータ通信器を備え、
前記カード式電気錠は、前記データ通信器との間で非接触通信を行い、該データ通信器に搭載の前記スマートカードに保存された更新用の電気錠データに基づく前記記憶手段の電気錠データの更新やバックアップを行う通信手段を備えたことを特徴とする請求項１〜４の何れかに記載のカードロックシステム。
【発明の詳細な説明】
【技術分野】
【０００１】
本発明は、例えばホテルの客室、オフィスビルの出入り口、住宅玄関扉等に採用されるカードロックシステムに係り、特にカード式電気錠が記憶する起動ソフトやイニシャルデータ等の電気錠データの更新や各種データのバックアップを手間と時間をかけずに簡便に行うことができるカードロックシステムに関するものである。
【背景技術】
【０００２】
近年、ホテルやオフィスビル等の商業施設や公共施設の入出口、集合住宅や一般住宅のエントランスや玄関等にはカード式電気錠が広く普及している。このカード式電気錠は、各所の電気錠毎に予め割り当てられた特定の暗号や施解錠情報等の各種データが記憶されたカード状記憶媒体を鍵カードとして用い、この鍵カードに記憶された各種データ（例えば特定の暗号による施解錠データ）を読み取り、読み取った各種データを予め登録された情報と照合して正当性を判別し、正常に認証した場合のみ錠前の施解錠を行うものである。
【０００３】
このようなカード式電気錠は、ピッキング等の不正な施解錠行為を防止し、且つ、鍵の複製が非常に困難なため、セキュリティー面において信頼されている。また、各鍵カード毎の各種データをホストコンピューターで管理しているため、データ破損等の心配がなく、鍵カードを紛失した場合においても鍵カードを再発行することが可能である。そして、このようなカード式電気錠を用いたカードロックシステムとしては、例えば下記特許文献１に開示される出入管理システムが知られている。
【０００４】
特許文献１に開示される出入管理システム１０１は、図４に示すように、出入管理ゲートとしてのドア１０２と、ドア１０２に取り付けられた電気錠１０３と、ドア１０２を通過しようとする人の個人情報を識別する複数の個人識別装置として作用する複数の磁気カードリーダ１０４および１０５と、これら複数の磁気カードリーダ１０４および１０５に接続され、電気錠１０３を制御するカードコントローラ１０６とを備えて概略構成される。
【０００５】
カードコントローラ１０６は、電気錠１０３に接続された唯一の電気錠駆動部Ｋ（１０４，１０５）と、複数の磁気カードリーダ１０４および１０５のうち何れかが識別した個人情報が、ドア１０３の通過を許可されている人の情報か否かを判定し、通過を許可されている人の情報であれば、電気錠駆動部Ｋ（１０４，１０５）に電気錠１０３を駆動する信号を発生させ、ドア１０３を開にする判定部１０７とを有している。また、カードコントローラ１０６には、管理ソフトウエアを搭載したコンピュータ１０８が通信ケーブル１０９で接続されている。
【特許文献１】特開２００１−２４１２２６号公報
【発明の開示】
【発明が解決しようとする課題】
【０００６】
ところで、この種の従来のカードロックシステムでは、カード式電気錠の起動ソフト等のプログラムやイニシャルデータを、基板上に実装されたフラッシュメモリ等の記憶手段に記憶させていた。具体的には、例えばパソコン等の管理端末をカード式電気錠と電気的に接続してネットワークを構築し、管理端末を操作して記憶手段に対するカード式電気錠のプログラムやイニシャルデータの変更や各種データのバックアップを行っていた。
【０００７】
しかしながら、上述した管理端末を使用してカード式電気錠のデータの更新やバックアップを行う従来の構成では、管理端末とカード式電気錠との間でネットワークを構築する必要があった。これにより、システムを構築するための所期設定が必要となり、費用が嵩むだけでなく、例えば記憶手段に破損があった場合には、管理端末からプログラムを再ダウンロードする必要があり、時間と手間がかかってしまうという問題があった。
【０００８】
そこで、本発明は上記問題点に鑑みてなされたものであり、従来のような管理端末を用いたネットワークを構築する必要なく、カード式電気錠が記憶する起動ソフトやイニシャルデータ等の電気錠データの更新や各種データのバックアップを時間と手間をかけずに行うことができるカードロックシステムを提供することを目的とする。
【課題を解決するための手段】
【０００９】
上記した目的を達成するために、請求項１に記載されたカードロックシステムは、予めカードに記憶された施解錠情報の正当性を判別し、正常に認証したときのみ錠前を施解錠するカード式電気錠を備えたカードロックシステムにおいて、
前記カード式電気錠との間で非接触通信可能とされ、最新プログラムや変更済イニシャルデータを含む更新用の電気錠データが保存されたスマートカードと、
データの更新やデータのバックアップを指示する処理実行情報が記憶されたトリガカードとを用い、
前記カード式電気錠は、プログラムやイニシャルデータを含む電気錠データを記憶する記憶手段を備え、前記トリガカードから読み込んだ処理実行情報をトリガとして、前記スマートカードからの更新用の電気錠データによる前記記憶手段の電気錠データの更新又は前記スマートカードへの前記記憶手段の電気錠データのバックアップを選択的に行うことを特徴とする。
【００１０】
請求項２に記載されたカードロックシステムは、予めカードに記憶された施解錠情報の正当性を判別し、正常に認証したときのみ錠前を施解錠するカード式電気錠を備えたカードロックシステムにおいて、
前記カード式電気錠との間で非接触通信可能とされ、最新プログラムや変更済イニシャルデータからなる更新用の電気錠データが保存されたスマートカードと、
データの更新を指示する更新実行情報が記憶されたデータ更新用カードとを用い、
前記カード式電気錠は、プログラムやイニシャルデータを含む電気錠データを記憶する記憶手段を備え、前記電気錠データの更新時に、前記データ更新用カードから取得した前記更新実行情報をトリガとして、前記スマートカードから更新用の電気錠データを読み出し、前記記憶手段に記憶された電気錠データを前記更新用の電気錠データによって更新することを特徴とする。
【００１１】
請求項３に記載されたカードロックシステムは、予めカードに記憶された施解錠情報の正当性を判別し、正常に認証したときのみ錠前を施解錠するカード式電気錠を備えたカードロックシステムにおいて、
前記カード式電気錠との間で非接触通信可能とされ、各種データを保存するためのスマートカードと、
データのバックアップを指示するバックアップ実行情報が記憶されたデータバックアップ用カードとを用い、
前記カード式電気錠は、プログラムやイニシャルデータを含む電気錠データを記憶する記憶手段を備え、前記電気錠データのバックアップ時に、前記データバックアップ用カードから取得した前記バックアップ実行情報をトリガとして、前記記憶手段に記憶された電気錠データを前記スマートカードに書き込んでバックアップすることを特徴とする。
【００１２】
請求項４に記載されたカードロックシステムは、予めカードに記憶された施解錠情報の正当性を判別し、正常に認証したときのみ錠前を施解錠するカード式電気錠を備えたカードロックシステムにおいて、
前記カード式電気錠との間で非接触通信可能とされ、少なくとも最新プログラムや変更済イニシャルデータを含む更新用の電気錠データが保存されたスマートカードと、
データの更新又はデータのバックアップを指示する更新／バックアップ実行情報が記憶されたデータ更新／バックアップ用カードとを用い、
前記カード式電気錠は、プログラムやイニシャルデータを含む電気錠データを記憶する記憶手段と、該記憶手段に記憶された前記電気錠データの更新又はバックアップの何れかを選択する操作手段とを備え、該操作手段によって前記電気錠データの更新が選択されたときに、前記スマートカードから読み出した更新用の電気錠データによって前記記憶手段に記憶された電気錠データを更新し、前記操作手段によって前記電気錠データのバックアップが選択されたときには、前記記憶手段に記憶された電気錠データを前記スマートカードに書き込んでバックアップすることを特徴とする。
【００１３】
請求項５に記載されたカードロックシステムは、請求項１〜４の何れかに記載のカードロックシステムにおいて、
前記カード式電気錠との間で非接触通信可能とされ、最新プログラムや変更済イニシャルデータからなる更新用の電気錠データが保存されたスマートカードを搭載したデータ通信器を備え、
前記カード式電気錠は、前記データ通信器との間で非接触通信を行い、該データ通信器に搭載の前記スマートカードに保存された更新用の電気錠データに基づく前記記憶手段の電気錠データの更新やバックアップを行う通信手段を備えたことを特徴とする。
【発明の効果】
【００１４】
本発明のカードロックシステムは、従来のような管理端末を用いたシステムを構築することなく、カード式電気錠に記憶された起動ソフト等のプログラムやイニシャルデータを含む電気錠データの更新や各種データのバックアップを必要に応じて手間と時間をかけずに行うことができる。
【００１５】
また、請求項４に記載されたカードロックシステムによれば、トリガカードを１枚のデータ更新／バックアップ用カードで兼用してデータの更新やバックアップを行うことができる。
【００１６】
さらに、請求項５に記載されたカードロックシステムによれば、トリガカードを用いた構成と、データ通信器を用いた構成とを状況に応じて使い分けることができる。
【発明を実施するための最良の形態】
【００１７】
以下、本発明の最良の形態について、添付した図面を参照しながらそれぞれ詳細に説明する。図１は本発明に係るカードロックシステムの第１形態を説明するための概略ブロック図、図２は本発明に係るカードロックシステムの第２形態を説明するための概略ブロック図、図３は本発明に係るカードロックシステムの第３形態を説明するための概略ブロック図である。
【００１８】
本例のカードロックシステム１は、例えばホテルの客室、オフィスビルの出入り口、住宅玄関扉等に採用され、起動ソフト等の最新プログラムや変更済イニシャルデータを含む更新用の電気錠データを対象となるカード式電気錠１０に記憶するべくリード／ライト機能を有するスマートカード３１に予め記憶させておき、このスマードカード３１をカード式電気錠１０に装着した状態で、予め発行されたトリガカード（データ更新用カード２１、データバックアップ用カード２２、データ更新／バックアップ用カード２４）から読み込んだ処理実行情報（更新実行情報、バックアップ実行情報）をトリガとして、カード式電気錠１０に対する電気錠データの更新やカード式電気錠１０からのデータのバックアップを行っている。
【００１９】
まず、本例のカードロックシステム１で使用する各種カードについて説明する。データ更新用カード２１及びデータバックアップ用カード２２は、錠前を施解錠するために必要なカード情報として施解錠情報が予め記憶された例えば磁気カード、ＩＣカード、非接触ＩＣチップ内蔵カードのカード状記憶媒体からなる施解錠用カード２３と同形式のカード状記憶媒体で構成される。
【００２０】
データ更新用カード２１には、処理実行情報としての更新実行情報がカード情報として記憶されている。また、データバックアップ用カード２２には、処理実行情報としてのバックアップ実行情報がカード情報として記憶されている。これらのカード２１，２２は、カード式電気錠１０に記憶された電気錠データの更新やカード式電気錠１０からの各種データのバックアップを行う際のトリガとなるトリガカードとして用いられる。
【００２１】
スマートカード３１は、例えばＥＥＰＲＯＭ内蔵のＩＣチップを搭載したリード／ライト可能なカード状記憶媒体で構成される。このスマートカード３１は、例えば管理室に設置された管理用端末からカード式電気錠１０を起動させるための最新のプログラム（起動ソフト）やカード式電気錠１０の変更に伴う変更済イニシャルデータを含む最新の電気錠データを記憶しており、データ更新又はデータバックアップ用の記憶媒体として用いられる。
【００２２】
次に、本例のカードロックシステム１の第１形態について詳細に説明する。図１に示すように、第１形態のカードロックシステム１は、カード読取手段１１、制御手段１２、記憶手段１３、照合判別手段１４、スマートカード読書手段１５、表示手段１６、駆動機構１７、電源部１８を備えて構成される。
【００２３】
カード読取手段１１は、例えば磁気カード、ＩＣカード、非接触ＩＣチップ内蔵カード等からなる施解錠用カード２３、データ更新用カード２１及びデータバックアップ用カード２２に記憶された各種カード情報を読み取るためのカードリーダで構成される。このカード読取手段１１は、オペレータの所定操作により各カードに記憶されるカード情報を読み取り、この読み取った各種カード情報を制御手段１２に出力している。  
【００２４】
制御手段１２は、例えばＣＰＵのマイクロコンピュータで構成され、カード読取手段１１が読み取った施解錠用カード２３からの施解錠情報と、記憶手段１３に予め記憶された認証用の施解錠情報とを照合してその正当性を判別し、正常に認証したときのみ錠前を施解錠制御している。また、制御手段１２は、錠前の施解錠に関する施解錠情報の入出力制御の他、錠前の施解錠時に駆動機構１７を駆動させるための駆動制御信号の出力、電源部１８から駆動機構１７への電源供給の制御、スマートカード読書手段１５が読み書きする情報に基づく表示手段１６の表示制御、錠前からモニタ情報として入力される状態信号（例えば、扉の開閉状態信号、錠前の施解錠状態信号）の判別処理を行っている。
【００２５】
さらに、制御手段１２は、カード読取手段１１がデータ更新用カード２１から更新実行情報を読み取ったときに、その更新実行情報の入力に伴い、スマートカード３１に記憶されている電気錠データと予め記憶手段１３に記憶されている電気錠データとの照合判別をするための照合実行信号を照合判別手段１４に出力している。また、制御手段１２は、カード読取手段１１がデータバックアップ用カード２２からバックアップ実行情報を読み取ったときには、そのバックアップ実行情報の入力に伴い、記憶手段１３に記憶された各種データをスマートカード３１にバックアップするためのバックアップ実行信号をスマートカード読書手段１５に出力している。
【００２６】
記憶手段１３は、例えば磁気的、光学的記憶媒体若しくはＲＯＭ、ＲＡＭの半導体メモリで構成される。この記憶手段１３は、カード式電気錠１０に関する機器情報、カード読取手段１１からの施解錠情報が錠前を施解錠する正当な情報であるか否かを判別するための認証用施解錠情報、モニタ情報としての状態信号（扉の開閉状態信号や錠前の施解錠状態信号）の他、施解錠制御を行うための起動ソフト等のプログラムやイニシャルデータを含む電気錠データ、カード式電気錠１０に関する各種データを記憶している。
【００２７】
照合判別手段１４は、制御手段１２から照合実行信号が入力されたときに、スマートカード３１に記憶された最新の電気錠データ（最新プログラムや変更済イニシャルデータ）と、記憶手段１３に記憶された電気錠データとを照合判別する。そして、照合判別手段１４は、照合の結果、記憶手段１３に記憶された電気錠データのバージョンやデータ情報がスマートカード３１に記憶された最新の電気錠データのバージョンやデータ情報よりも古いと判別した場合のみ、必要な電気錠データの更新を実行するための更新実行信号をスマートカード読書手段１５に出力している。
【００２８】
スマートカード読書手段１５は、各種データの読み書き機能を備えたカードリーダ／ライタで構成される。スマートカード読書手段１５は、照合判別手段１４から更新実行信号が入力されたときに、スマートカード３１に記憶された最新の電気錠データを記憶手段１３に上書きして電気錠データの更新を行い、更新が正常に完了したか否かを示す更新状態信号を制御手段１２に出力している。また、スマートカード読書手段１５は、制御手段１２からバックアップ実行信号が入力されたときに、記憶手段１３に記憶された各種データをスマートカード３１に書き込んで各種データのバックアップを行い、バックアップが正常に完了したか否かを示すバックアップ状態信号を制御手段１２に出力している。
【００２９】
表示手段１６は、例えばＬＥＤの発光素子で構成され、制御手段１２の制御により電気錠データの更新やバックアップが正常に行われたか否かを識別可能に表示する。
【００３０】
駆動機構１７は、例えばモータやソレノイドの駆動装置と錠前で構成され、制御手段１２から入力される駆動制御信号により錠前を施錠または解錠するべく駆動し、扉枠の係止穴に対してデッドボルトを突出（施錠時）又は引き込む（解錠時）ことにより錠前が施解錠される。
【００３１】
電源部１８は、例えば商用電源（ＡＣ１００Ｖ）である外部電源で構成され通電金具を介してカード式電気錠１０１を構成する各部に電源を供給する。また、電源部１８は、錠前やエスカチオン（化粧板）の内部に着脱可能に設けられる電池で構成し、この電池からカード式電気錠１０を構成する各部に電源を供給することもできる。
【００３２】
次に、上述した第１形態のカードロックシステム１の処理動作として、記憶手段１３に記憶された電気錠データを更新する動作例と、記憶手段１３に記憶された電気錠データをバックアップする動作例についてそれぞれ具体的に説明する。
【００３３】
ここでは、ホテルの客室毎に設置されたカード式電気錠１０を例に挙げ、カード式電気錠１０の記憶手段１３に記憶された電気錠データの更新またはバックアップを行う場合の例について説明する。
【００３４】
まず、カード式電気錠１０の記憶手段１３に記憶された電気錠データを更新する処理動作について説明する。オペレータは、更新が必要な記憶手段１３を備えたカード式電気錠１０が設置されている客室に出向き、予めホテルのフロントや管理室等に設置された管理用端末で最新の電気錠データを記憶させておいたスマートカード３１をスマートカード読書手段１５としてのカードリーダ／ライタのカード挿入口に挿入する。また、カード読取手段１１としてのカードリーダ／ライタのカード挿入口にデータ更新用カード２１を挿入する。データ更新用カード２１が挿入されると、このデータ更新用カード２１の更新実行情報をトリガとして、照合判別手段１４が記憶手段１３に記憶された電気錠データとスマートカード３１に記憶された電気錠データとの照合を開始する。この照合の結果、電気錠データの更新が必要と判別されると、スマートカード読書手段１５は、スマートカード３１から必要な電気錠データのみを記憶手段１３に上書きして記憶手段１３の電気錠データを更新する。そして、電気錠データの更新後、更新が正常に終了した場合は表示手段１６が緑色に点灯し、正常に処理が実行されない場合には表示手段１６が赤色に点灯する。
【００３５】
次に、カード式電気錠１０の記憶手段１３に記憶された各種データのバックアップ時の処理動作について説明する。オペレータは、カード式電気錠１０の記憶手段１３に記憶された各種データをバックアップするため客室に出向き、スマートカード３１をスマートカード読書手段１５としてのカードリーダ／ライタのカード挿入口に挿入する。また、カード読取手段１１としてのカードリーダ／ライタのカード挿入口にデータバックアップ用カード２２を挿入する。データバックアップ用カード２２が挿入されると、このデータバックアップ用カード２２のバックアップ実行情報をトリガとして、スマートカード読書手段１５が記憶手段１３に記憶された各種データをスマートカード３１に書き込んで、各種データのバックアップをする。そして、各種データのバックアップ終了後、バックアップが正常に終了した場合は表示手段１６が緑色に点灯し、正常に処理が実行されない場合には表示手段１６が赤色に点灯する。
【００３６】
次に、本例のカードロックシステム１の第２形態について説明する。なお、以下に説明する第２形態のカードロックシステムにおいて、第１形態と同様の構成要件については同一番号を付して説明を省略し、新たに追加された構成要件についてのみ説明する。
【００３７】
この第２形態のカードロックシステムでは、図２に示すように、データ更新用カード２１の機能と、データバックアップ用カード２２の機能とを兼ね備えたデータ更新／バックアップ用カード２４をトリガカードとして使用し、新たに「更新」キーと「バックアップ」キーを備えた操作手段１９を設け、この操作手段１９において「更新」または「バックアップ」の何れかを選択し、この選択に基づくトリガカード２４の処理実行情報（更新実行情報またはバックアップ実行情報）をトリガとして、電気錠データの更新または各種データのバックアップを行う構成である。
【００３８】
操作手段１９は、記憶手段１３の電気錠データの更新か、記憶手段１３からの各種データのバックアップかを選択するための「更新」キーと「バックアップ」キーとを備えている。操作手段１９の「更新」キーは、記憶手段１３の電気錠データの更新を行うときにオペレータの操作により押下される。また、操作手段１９の「バックアップ」キーは、記憶手段１３からの各種データのバックアップを行うときにオペレータの操作により押下される。そして、操作手段１９の「更新」キーが押下されたときには、カード読取手段１１がデータ更新／バックアップ用カード２４から読み取った更新／バックアップ実行情報のうち更新実行情報が制御手段１２に出力される。また、操作手段１９の「バックアップ」キーが押下されたときには、カード読取手段１１がデータ更新／バックアップ用カード２４から読み取った更新／バックアップ実行情報のうちバックアップ実行情報が制御手段１２に出力される。
【００３９】
そして、上記第２形態のカードロックシステムにおいて、記憶手段１３の電気錠データを更新する場合、オペレータは、更新が必要な記憶手段１３を備えたカード式電気錠１０が設置されている客室に出向き、予めホテルのフロントや管理室等に設置された管理用端末で最新の電気錠データを記憶させておいたスマートカード３１をスマートカード読書手段１５としてのカードリーダ／ライタのカード挿入口に挿入する。また、カード読取手段１１としてのカードリーダ／ライタのカード挿入口にデータ更新／バックアップ用カード２４を挿入する。そして、データ更新／バックアップ用カード２４を挿入後、操作手段１９の「更新」キーを操作すると、更新／バックアップ実行情報のうち更新実行情報が制御手段１２に出力され、以降、前述した第１形態と同様の処理を実行することにより、カード式電気錠１０の記憶手段１３の電気錠データが更新される。
【００４０】
また、記憶手段１３の各種データをバックアップする場合、オペレータは、カード式電気錠１０の記憶手段１３に記憶された各種データをバックアップするため客室に出向き、スマートカード３１をスマートカード読書手段１５としてのカードリーダ／ライタのカード挿入口に挿入する。また、カード読取手段１１としてのカードリーダ／ライタのカード挿入口にデータ更新／データバックアップ用カード２２を挿入する。そして、カード読取手段１１にデータ更新／バックアップ用カード２４を挿入後、操作手段１９の「バックアップ」キーを操作すると、更新／バックアップ実行情報のうちバックアップ実行情報が制御手段１２に出力され、以降、前述した第１形態と同様の処理を実行することにより、記憶手段１３の各種データがスマートカード３１にバックアップされる。
【００４１】
次に、本例のカードロックシステム１の第３形態について説明する。なお、以下に説明する第２形態のカードロックシステムにおいて、第１形態及び第２形態と同様の構成要件については同一番号を付して説明を省略し、新たに追加された構成要件についてのみ説明する。
【００４２】
第３形態のカードロックシステムでは、第１形態のカードロックシステムの構成に加え、スマートカード３１を搭載したデータ通信器４１を備えている。また、カード式電気錠１０には、スマートカード３１を搭載したデータ通信器４１と非接触通信（例えば赤外線通信）を行うための通信手段２０を備えている。
【００４３】
データ通信器４１は、リード／ライト機能を有し、カード式電気錠１０と非接触通信（例えば赤外線通信）を行うための通信モードとして、カード式電気錠１０の記憶手段１３に記憶された電気錠データを更新する「更新」モードと、カード式電気錠１０の記憶手段１３に記憶された各種データをバックアップする「バックアップ」モードとを選択的に切り替えるためのモード切替手段を備えている。
【００４４】
通信手段２０は、例えば赤外線通信を行う送受信機で構成され、データ通信器４１との間で各種データの非接触通信を行う。なお、通信する各種データは必要に応じて暗号化された状態で通信することも可能である。
【００４５】
ここで、信号の暗号化処理について説明する。暗号化とは、入出力データや暗証番号を決まった規則に従ってデータを変換して第三者に盗み見られたり改竄されないようにすることである。この暗号化には、対になる２つの鍵を使う公開鍵暗号と、どちらにも同じ鍵を用いる秘密鍵暗号がある。公開鍵暗号としては、例えばＲＳＡ（Rivest Shamir Adleman ）、ＥｌＧａｍａｌ暗号、楕円曲線暗号がある。秘密鍵暗号としては、例えばアメリカ政府標準のＤＥＳ（Data Encryptncryption Standard）や、ＩＤＥＡ（International Data Encryption Algorithm ）、ＦＥＡＬ（Fast data Encipherment ALgorihtmｅ）、ＭＩＳＴＹがある。また、上記公開鍵暗号、秘密鍵暗号を用いた処理の他、スクランブル処理を用いることができる。
【００４６】
この第３形態のカードロックシステムでは、トリガカード（データ更新用カード２１、データバックアップ用カード２２）の処理実行情報をトリガとしてカード式電気錠１０の電気錠データの更新及び各種データのバックアップを行えるだけでなく、データ通信器４１を用いてカード式電気錠１０の電気錠データの更新及びカード式電気錠１０からの各種データのバックアップを行うことができる。
【００４７】
すなわち、上記第２形態のカードロックシステムにおいて、記憶手段１３の電気錠データを更新する場合、オペレータは、予めホテルのフロントや管理室等に設置された管理用端末で最新の電気錠データを記憶させておいたスマートカード３１をデータ通信器４１に搭載し、更新が必要なカード式電気錠１０が設置されている客室に出向く。そして、データ通信器４１をカード式電気錠１０の通信手段２０の所定範囲内に近接させ、データ通信器４１のモード切替手段を操作して「更新」モードを選択する。更新モード選択後、所定操作（データ書き込み操作）を行い、スマートカード３１の電気錠データをデータ通信器４１からカード式電気錠１０に送信する。カード式電気錠１０では、データ通信器４１から送信された電気錠データと、記憶手段１３に記憶された電気錠データとを照合し、照合結果に基づく差分データを上書きして記憶手段１３の電気錠データを更新する。
【００４８】
また、記憶手段１３の各種データをバックアップする場合、オペレータは、スマートカード３１をデータ通信器４１に搭載し、カード式電気錠１０に記憶された電気錠データをバックアップするため客室に出向く。そして、データ通信器４１をカード式電気錠１０の通信手段２０の所定範囲内に近接させ、データ通信器４１のモード切替手段を操作して「バックアップ」モードを選択する。バックアップモード選択後、所定操作（データ読み出し操作）を行うと、カード式電気錠１０からデータ通信器４１に各種データが送信される。データ通信器４１では、カード式電気錠１０から送信された各種データがスマートカード３１に書き込まれ、記憶手段１３の各種データをスマートカード３１にバックアップする。
【００４９】
なお、上述した第３形態では、第１形態の構成に加えてデータ通信器４１を用いた例で説明したが、これに限定されることはなく、第２形態の構成に加えてデータ通信器４１を用い、データ通信器４１とデータ更新／バックアップ用カード２４とを使い分けて、カード式電気錠１０の電気錠データの更新や各種データのバックアップを行う構成としても良い。
【００５０】
このように、本例のカードロックシステム１では、カード式電気錠１０の記憶手段１３が記憶する起動ソフト等のプログラムやイニシャルデータを含む電気錠データの更新時に、データ更新用カード２１の更新実行情報や操作手段１９の操作に基づくデータ更新／バックアップ用カード２４の更新実行情報をトリガとして、予めスマートカード３１に記憶させた最新の電気錠データをスマートカード読書手段１５に読み込ませ、この最新の電気錠データにより更新が必要なデータ（差分データ）のみを上書きして記憶手段１３の電気錠データを更新している。
【００５１】
また、記憶手段１３の各種データのバックアップ時には、スマートカード３１をカード式電気錠１０に装着し、データバックアップ用カード２２のバックアップ実行情報や操作手段１９の操作に基づくデータ更新／バックアップ用カード１４のバックアップ実行情報をトリガとして、記憶手段１３に記憶された各種データをスマートカード３１に書き込んで記憶手段１３の各種データをスマートカード３１にバックアップしている。
【００５２】
これにより、本例のカードロックシステムによれば、従来のような管理端末を用いたシステムを構築する必要がなく、カード式電気錠に記憶された例えば起動ソフト等のプログラムやイニシャルデータを含む電気錠データの更新や各種データのバックアップを必要に応じて手間と時間をかけずに簡便に行うことができる。
【００５３】
また、第２形態のカードロックシステムによれば、データの更新やバックアップのトリガとなるトリガカードを１枚のデータ更新／バックアップ用カード２４で兼用することができる。
【００５４】
さらに、スマートカード３１を搭載したデータ通信器４１を備えた構成とすれば、データ通信器４１とカード式電気錠１０との間で非接触通信することにより、記憶手段１３のデータ更新やバックアップが行え、トリガカード（データ更新用カード２１、データバックアップ用カード２２、データ更新／バックアップ用カード２４）を用いた構成と、データ通信器４１を用いた構成とを状況に応じて使い分けることができる。
【図面の簡単な説明】
【００５５】
【図１】本発明に係るカードロックシステムの第１形態を説明するための概略ブロック図である。
【図２】本発明に係るカードロックシステムの第２形態を説明するための概略ブロック図である。
【図３】本発明に係るカードロックシステムの第３形態を説明するための概略ブロック図である。
【図４】従来のカードロックシステムの概略を説明するための説明図である。
【符号の説明】
【００５６】
１  カードロックシステム
１０  カード式電気錠
１１  カード読取手段
１２  制御手段
１３  記憶手段
１４  照合判別手段
１５  スマートカード読書手段
１６  表示手段
１７  駆動機構
１８  電源部
１９  操作手段
２０  通信手段
２１  データ更新用カード（トリガカード）
２２  データバックアップ用カード（トリガカード）
２３  施解錠用カード
２４  データ更新／バックアップ用カード（トリガカード）
３１  スマートカード
４１  データ通信器
【図１】
0004787028.tif 000002
【図２】
0004787028.tif 000003
【図３】
0004787028.tif 000004
【図４】
0004787028.tif 000005